(57)【要約】【課題】従来、図面の中の領域に対応付けて、当該領域内で撮影した写真を整理することが困難であった。【解決手段】図面の１以上の領域に関する情報であり、領域を識別する領域識別子と当該領域を特定する領域位置情報とを有する１以上の領域情報が格納される領域情報格納部と、図面情報を出力する図面情報出力部と、図面情報上の地点を特定する地点情報、および撮影された写真を受け付ける受付部と、地点情報を用いて、当該地点情報が示す地点を含む領域の領域識別子を領域情報格納部から取得する領域識別子取得部と、領域識別子取得部が取得した領域識別子に対応付けて、写真を蓄積する写真蓄積部とを具備する写真管理装置により、図面の中の領域に対応付けて、当該領域内で撮影した写真を、容易に整理できる。【選択図】図３
2019159523.tif 000002
【特許請求の範囲】
【請求項１】
図面の情報である図面情報が格納される図面情報格納部と、
前記図面の１以上の領域に関する情報であり、領域を識別する領域識別子と当該領域を特定する領域位置情報とを有する１以上の領域情報が格納される領域情報格納部と、
１以上の写真が格納される写真格納部と、
前記図面情報を出力する図面情報出力部と、
図面情報上の地点を特定する地点情報、および撮影された写真を受け付ける受付部と、
前記地点情報を用いて、当該地点情報が示す地点を含む領域の領域識別子を前記領域情報格納部から取得する領域識別子取得部と、
前記領域識別子取得部が取得した領域識別子に対応付けて、前記写真を前記写真格納部に蓄積する写真蓄積部とを具備する写真管理装置。
【請求項２】
前記写真の受け付けに応じて、写真に関連する情報である項目情報を取得する項目情報取得部をさらに具備し、
前記写真蓄積部は、
前記項目情報をも前記写真に対応付けて蓄積する請求項１記載の写真管理装置。
【請求項３】
前記項目情報取得部は、
前記写真を画像処理し、項目情報を取得する請求項２記載の写真管理装置。
【請求項４】
異なるコードに対応付けて２以上の項目情報が格納される項目情報格納部をさらに具備し、
前記項目情報取得部は、
前記写真の中の、コードが埋め込まれた図柄であるコード図柄の領域を決定し、当該コード図柄の領域に対応するコードを取得し、当該コードに対応する項目情報を前記項目情報格納部から取得する請求項３記載の写真管理装置。
【請求項５】
各領域を識別する領域識別子と対になる写真に対応付けられている項目情報を領域ごとに取得する作業進捗情報取得部と、
前記作業進捗情報取得部が取得した項目情報を、前記領域識別子で識別される領域毎に出力する作業進捗情報出力部とをさらに具備する請求項２から請求項４いずれか一項に記載の写真管理装置。
【請求項６】
行わなければならい作業に関する１以上の項目情報が格納される作業項目情報格納部をさらに具備し、
前記作業進捗情報取得部は、
当該作業進捗情報取得部が取得した領域ごとの項目情報と、前記作業項目情報格納部に格納されている項目情報とを比較し、作業の完了または不足に関する作業状況情報をも取得し、
前記作業進捗情報出力部は、
前記作業状況情報を出力する請求項５記載の写真管理装置。
【請求項７】
前記図面情報格納部には、２以上の図面情報が格納され、
前記写真格納部の各写真は、図面情報に対応付いており、
図面情報に対応する１以上の写真を前記写真格納部から取得する写真群取得部と、
前記写真群取得部が取得した１以上の写真を一覧する画面を構成する画面情報を取得する画面構成部と、
前記画面構成部が取得した画面情報を出力する画面出力部とをさらに具備する請求項１から請求項６いずれか一項に記載の写真管理装置。
【請求項８】
前記写真群取得部は、
一の領域識別子に対応する１以上の写真を前記写真格納部から取得し、
前記画面構成部は、
前記一の領域識別子により識別される領域ごとに、前記写真群取得部が取得した１以上の写真を一覧する画面を構成する画面情報を取得する請求項７記載の写真管理装置。
【請求項９】
図面の情報である図面情報が格納される図面情報格納部と、前記図面の１以上の領域に関する情報であり、領域を識別する領域識別子と当該領域を特定する領域位置情報とを有する１以上の領域情報が格納される領域情報格納部と、１以上の写真が格納される写真格納部と、図面情報出力部と、受付部と、領域識別子取得部と、写真蓄積部とにより実現される写真管理方法であって、
前記図面情報出力部が、前記図面情報を出力する図面情報出力ステップと、
前記受付部が、図面情報上の地点を特定する地点情報、および撮影された写真を受け付ける受付ステップと、
前記領域識別子取得部が、前記地点情報を用いて、当該地点情報が示す地点を含む領域の領域識別子を前記領域情報格納部から取得する領域識別子取得ステップと、
前記写真蓄積部が、前記領域識別子取得ステップで取得された領域識別子に対応付けて、前記写真を前記写真格納部に蓄積する写真蓄積ステップとを具備する写真管理方法。
【請求項１０】
図面の情報である図面情報が格納される図面情報格納部と、前記図面の１以上の領域に関する情報であり、領域を識別する領域識別子と当該領域を特定する領域位置情報とを有する１以上の領域情報が格納される領域情報格納部と、１以上の写真が格納される写真格納部とにアクセス可能なコンピュータを、
前記図面情報を出力する図面情報出力部と、
図面情報上の地点を特定する地点情報、および撮影された写真を受け付ける受付部と、
前記地点情報を用いて、当該地点情報が示す地点を含む領域の領域識別子を前記領域情報格納部から取得する領域識別子取得部と、
前記領域識別子取得部が取得した領域識別子に対応付けて、前記写真を前記写真格納部に蓄積する写真蓄積部として機能させるためのプログラム。
【発明の詳細な説明】
【技術分野】
【０００１】
本発明は、図面情報と写真とを関連付けて管理する写真管理装置等に関するものである。
【背景技術】
【０００２】
例えば、地域・建物・工事現場等の場所において、図面と写真を利用することの有用性が広く知られている。図面はその場所の全体像を、写真はその場所の特定の箇所に関する詳細な情報を持つため、両者を関連付けて整理することにより、その場所に関する情報をより速く正確に得ることが可能となる。両者を関連付けて整理する方法として、写真に整理番号を付ける、階層構造に類別するなどの手法がしばしば用いられている。
【０００３】
また、従来、撮影位置を適切に推測した上で、写真に係る画像を地図上に表示する画面情報を生成可能とする電子アルバム作成サーバがあった（例えば、特許文献１参照）。
【先行技術文献】
【特許文献】
【０００４】
【特許文献１】特開２００２−１９３７４
【発明の概要】
【発明が解決しようとする課題】
【０００５】
しかしながら、従来技術においては、図面の中の領域に対応付けて、当該領域内で撮影した写真を整理することが困難であった。
【課題を解決するための手段】
【０００６】
本第一の発明の写真管理装置は、図面の情報である図面情報が格納される図面情報格納部と、図面の１以上の領域に関する情報であり、領域を識別する領域識別子と領域を特定する領域位置情報とを有する１以上の領域情報が格納される領域情報格納部と、１以上の写真が格納される写真格納部と、図面情報を出力する図面情報出力部と、図面情報上の地点を特定する地点情報、および撮影された写真を受け付ける受付部と、地点情報を用いて、地点情報が示す地点を含む領域の領域識別子を領域情報格納部から取得する領域識別子取得部と、領域識別子取得部が取得した領域識別子に対応付けて、写真を写真格納部に蓄積する写真蓄積部とを具備する写真管理装置である。
【０００７】
かかる構成により、図面の中の領域に対応付けて、当該領域内で撮影した写真を、容易に整理できる。
【０００８】
また、本第二の発明の写真管理装置は、第一の発明に対して、写真の受け付けに応じて、写真に関連する情報である項目情報を取得する項目情報取得部をさらに具備し、写真蓄積部は、項目情報をも写真に対応付けて蓄積する写真管理装置である。
【０００９】
かかる構成により、図面の中の領域および項目情報に対応付けて、当該領域内で撮影した写真を、容易に整理できる。
【００１０】
また、本第三の発明の写真管理装置は、第二の発明に対して、項目情報取得部は、写真を画像処理し、項目情報を取得する写真管理装置である。
【００１１】
かかる構成により、図面の中の領域および自動取得された項目情報に対応付けて、当該領域内で撮影した写真を、容易に整理できる。
【００１２】
また、本第四の発明の写真管理装置は、第三の発明に対して、異なるコードに対応付けて２以上の項目情報が格納される項目情報格納部をさらに具備し、項目情報取得部は、写真の中の、コードが埋め込まれた図柄であるコード図柄の領域を決定し、コード図柄の領域に対応するコードを取得し、コードに対応する項目情報を項目情報格納部から取得する写真管理装置である。
【００１３】
かかる構成により、図面の中の領域および写真内の図柄に対応するコードから取得された項目情報に対応付けて、当該領域内で撮影した写真を、容易に整理できる。
【００１４】
また、本第五の発明の写真管理装置は、第二から第四いずれか１つの発明に対して、各領域を識別する領域識別子と対になる写真に対応付けられている項目情報を領域ごとに取得する作業進捗情報取得部と、作業進捗情報取得部が取得した項目情報を、領域識別子で識別される領域毎に出力する作業進捗情報出力部とをさらに具備する写真管理装置である。
【００１５】
かかる構成により、領域ごとに行われた作業の状況を把握できる。
【００１６】
また、本第六の発明の写真管理装置は、第五の発明に対して、行わなければならい作業に関する１以上の項目情報が格納される作業項目情報格納部をさらに具備し、作業進捗情報取得部は、作業進捗情報取得部が取得した領域ごとの項目情報と、作業項目情報格納部に格納されている項目情報とを比較し、作業の完了または不足に関する作業状況情報をも取得し、作業進捗情報出力部は、作業状況情報を出力する写真管理装置である。
【００１７】
かかる構成により、領域ごとに行われた作業の状況を容易に把握できる。
【００１８】
また、本第七の発明の写真管理装置は、第一から第六いずれか１つの発明に対して、図面情報格納部には、２以上の図面情報が格納され、写真格納部の各写真は、図面情報に対応付いており、図面情報に対応する１以上の写真を写真格納部から取得する写真群取得部と、写真群取得部が取得した１以上の写真を一覧する画面を構成する画面情報を取得する画面構成部と、画面構成部が取得した画面情報を出力する画面出力部とをさらに具備する写真管理装置である。
【００１９】
かかる構成により、図面ごとに、対応する写真を一覧できる。
【００２０】
また、本第八の発明の写真管理装置は、第七の発明に対して、写真群取得部は、一の領域識別子に対応する１以上の写真を写真格納部から取得し、画面構成部は、一の領域識別子により識別される領域ごとに、写真群取得部が取得した１以上の写真を一覧する画面を構成する画面情報を取得する写真管理装置である。
【００２１】
かかる構成により、図面の中の領域ごとに、対応する写真を一覧できる。
【発明の効果】
【００２２】
本発明による写真管理装置によれば、図面の中の領域に対応付けて、当該領域内で撮影した写真を、容易に整理できる。
【図面の簡単な説明】
【００２３】
【図１】実施の形態１における写真管理システムＡの概念図
【図２】同写真管理システムＡのブロック図
【図３】同写真管理システムＡを構成する写真管理装置１のブロック図
【図４】同写真管理装置１の動作例について説明するフローチャート
【図５】同写真登録処理の例について説明するフローチャート
【図６】同画面情報構成処理の例について説明するフローチャート
【図７】同端末装置２の動作例について説明するフローチャート
【図８】同図面情報の例を示す図
【図９】同領域情報管理表を示す図
【図１０】同項目情報管理表を示す図
【図１１】同属性情報管理表を示す図
【図１２】同図面情報の例を示す図
【図１３】同写真管理システムＡの動作例を説明する図
【図１４】同作業進捗情報の例を示す図
【図１５】同作業進捗情報の例を示す図
【図１６】同写真一覧画面の例を示す図
【図１７】同項目情報管理表の画面例を示す図
【図１８】同コンピュータシステムの概観図
【図１９】同コンピュータシステムのブロック図
【発明を実施するための形態】
【００２４】
以下、写真管理装置等の実施形態について図面を参照して説明する。なお、実施の形態において同じ符号を付した構成要素は同様の動作を行うので、再度の説明を省略する場合がある。
【００２５】
（実施の形態１）
本実施の形態において、図面中の領域に付された領域識別子と撮影した写真とを対応付けて蓄積する写真管理装置を具備する写真管理システムについて説明する。
【００２６】
また、本実施の形態において、写真に対して項目情報を付与できる写真管理装置を具備する写真管理システムについて説明する。なお、項目情報は自動的に取得され得る。
【００２７】
また、本実施の形態において、作業進捗管理の機能を有する写真管理装置を具備する写真管理システムについて説明する。
【００２８】
さらに、本実施の形態において、図面中の写真の一覧表示、および領域ごとに写真の一覧表示が可能な写真管理システムについて説明する。
【００２９】
図１は、本実施の形態における写真管理システムＡの概念図である。写真管理システムＡは、写真管理装置１、および１または２以上の端末装置２を備える。写真管理装置１と１以上の各端末装置２とは、インターネット等のネットワークにより通信可能である。また、写真管理装置１は、例えば、いわゆるクラウドサーバ、ＡＳＰサーバ等のサーバ装置である。写真管理装置１は、写真管理を行う装置である。端末装置２は、ユーザが使用する端末である。端末装置２は、いわゆるタブレット端末、スマートフォン等であり、その形状、種類等は問わないことは言うまでもない。なお、端末装置２は、通常、カメラを有する。
【００３０】
図２は、本実施の形態における写真管理システムＡのブロック図である。図３は、写真管理システムＡを構成する写真管理装置１のブロック図である。
【００３１】
写真管理装置１は、格納部１１、受付部１２、処理部１３、および出力部１４を備える。格納部１１は、図面情報格納部１１１、領域情報格納部１１２、項目情報格納部１１３、作業項目情報格納部１１４、写真格納部１１５、および属性情報格納部１１６を備える。受付部１２は、指示情報受付部１２１、および撮影指示受付部１２２を備える。処理部１３は、撮影部１３１、領域識別子取得部１３２、項目情報取得部１３３、写真蓄積部１３４、作業進捗情報取得部１３５、写真群取得部１３６、および画面構成部１３７を備える。出力部１４は、図面情報出力部１４１、作業進捗情報出力部１４２、および画面出力部１４３を備える。
【００３２】
端末装置２は、端末格納部２１、端末受付部２２、端末処理部２３、端末送信部２４、端末受信部２５、および端末出力部２６を備える。
【００３３】
写真管理装置１を構成する格納部１１には、種々の情報が格納され得る。種々の情報とは、例えば、後述する図面情報、後述する領域情報、後述する項目情報、後述する作業項目情報、写真、ユーザ情報、画面情報等である。ユーザ情報とは、ユーザに関する情報である。また、ユーザ情報は、通常、ユーザを識別するユーザ識別子を有する。ユーザ識別子は、例えば、ＩＤ、メールアドレス、電話番号等であり、ユーザを識別できる情報であれば何でも良い。ユーザ情報は、例えば、パスワード、ユーザの氏名、所属、住所、通知先情報等のユーザの属性値を有しても良い。通知先情報とは、通常、メールアドレスであるが、電話番号、ＦＡＸ番号、ユーザが使用する端末装置２のＩＰアドレス、ＭＡＣアドレス等でも良い。
【００３４】
画面情報とは、画面を構成する情報である。画面情報は、画面を構成する情報の雛形の情報でも良い。画面情報の雛形の情報は、例えば、後述する写真一覧画面の雛形の情報である。画面情報や画面情報の雛形の情報は、例えば、ＨＴＭＬ、ＸＭＬ等により構成されるが、そのデータ構造や実現手段は問わない。
【００３５】
図面情報格納部１１１には、１または２以上の図面情報が格納される。図面情報は、図面の情報である。通常、図面情報は、当該図面情報を識別する図面情報識別子に対応付けて、図面情報格納部１１１に格納されている。図面情報は、位置情報を有さないことは好適である。図面情報には、位置情報を有する地図情報は含まれない。図面は、例えば、建物の図面、工事現場の図面、地域の図面である。図面情報は、ベクトルデータ、ラスターデータ等、問わない。図面情報は、例えば、ｊｐｅｇ、ｇｉｆ等であるが、図面情報のデータ構造は問わない。なお、位置情報とは、通常、（緯度，経度）である。位置情報は、高度を含んでも良い。また、図面情報は、位置情報を有さない画像の情報も含むと考えても良い。
【００３６】
領域情報格納部１１２には、１または２以上の領域情報が格納される。１または２以上の領域情報は、例えば、図面情報と対応付いている。つまり、領域情報格納部１１２には、図面情報ごとに、１または２以上の領域情報が格納されていることは好適である。領域情報格納部１１２には、１または２以上の領域情報と対に図面情報識別子が格納されていても良いし、１または２以上の領域情報と図面情報とをリンクする情報が格納されていても良い。例えば、１または２以上の領域情報と対になっている図面情報識別子により、図面情報と１以上の領域情報とが対応付けられている。
【００３７】
領域情報は、図面の中の一部である領域に関する情報である。領域情報は、領域識別子と領域位置情報とを有する。領域識別子は、領域を識別する情報である。領域識別子は、例えば、「Ｃ１−９」などの文字列であるが、領域を識別する情報であれば何でも良い。領域識別子の文字数、構成される文字の種類等は問わない。領域位置情報は、領域を特定する情報である。領域位置情報は、例えば、領域の３以上の角の位置情報である。領域位置情報は、例えば、矩形領域を特定する２点（例えば、左上の点と右下の点）の位置情報である。領域位置情報は、例えば、中心点の位置情報と半径である。なお、位置情報は、例えば、図面情報内の相対的な座標値（ｘ，ｙ）である。また、領域位置情報は、例えば、領域の大きさが決まっている状況におけるＩＤでも良い。また、領域の形状は、矩形であることが好適であるが、多角形、円形、楕円等、問わない。さらに、図面の中の２以上の各領域は、隣接し、連続していても良いし、どの領域にも隣接しない領域が存在しても良い。
【００３８】
項目情報格納部１１３には、異なるコードに対応付けて２以上の項目情報が格納される。コードは、例えば、文字列である。コードは、例えば、コード図柄に埋め込まれる情報である。コード図柄とは、コードが埋め込まれた図柄である。コード図柄は、例えば、バーコード、ＱＲコード（登録商標）、カラーコードである。カラーコードとは、ある形状の図形の中の色の組み合わせによりコードが決定される図柄である。ある形状は、例えば、矩形、正方形等である。また、項目情報とは、項目を特定する情報である。項目情報とは、写真に関連する情報である。項目情報は、作業を特定する情報である、と考えても良い。項目情報は、例えば、写真を撮影した際の状況を特定する情報、写真の属性値を示す情報等である。項目情報は、例えば、「作業前」「掘進状況」「残尺」「検尺」「施工後」「調査孔閉塞状況」「深度検尺」「全景」「採取資料」などである。「作業前」とは、作業の前である状況を示す情報である。「掘進状況」は掘削を進めている状況を示す情報である。「施工後」は施工後の状況であることを示す情報である。「全景」は、写真が全景の写真であることを示す情報である。なお、項目情報は、通常、どのような情報でも良い。
【００３９】
作業項目情報格納部１１４には、行わなければならい作業に関する１以上の項目情報が格納される。作業項目情報格納部１１４には、領域識別子に対応付けて１以上の項目情報が格納されていても良い。つまり、通常、図面の各領域に対して行わなければならない作業は同じであるが、領域ごとに異なっていても良い。
【００４０】
写真格納部１１５は、１以上の写真が格納される。写真は、撮影された写真である。写真には、１以上の属性情報が対応付いていることは好適である。属性情報は、写真の属性の情報である。属性情報は、例えば、領域識別子、地点情報、方向を示す方向情報である。なお、地点情報は、図面情報の上の位置（地点）を特定する情報である。地点情報とは、通常、図面情報内の相対的な座標値（ｘ，ｙ）である。地点情報は、例えば、図面情報の基準点（例えば、図面情報の左上隅の点）からの相対的な位置を示す座標情報（ｘ，ｙ）である。地点情報は、通常、写真が撮影された位置を特定する情報である。ただし、地点情報は、写真の被写体の図面情報上の位置を特定する情報でも良い。写真は、通常、ユーザにより撮影された写真である。写真は、撮影画像と言っても良い。撮影画像は、通常、静止画である。ただし、撮影画像は、動画でも良い。方向情報は、図面情報の中での方向を示す情報である。方向情報は、例えば、図面情報上の基準線からの角度により表現される。方角情報は、例えば、北を基準とした角度を示す情報であるが、その表現形式は問わない。方向情報は、例えば、２次元のベクトルである。なお、写真と対応付けられている領域識別子や地点情報等の情報は、例えば、属性情報格納部１１６で管理されているが、その管理方法は問わない。
【００４１】
写真格納部１１５は、同一の地点情報または同一の領域識別子に対応付けて、２以上の写真を格納し得る。また、写真格納部１１５は、同一に地点情報および同一の方向情報に対応付けて、２以上の写真を格納し得る。なお、写真格納部１１５は、対応する地点情報が同じで、方向情報が異なる２以上の写真を格納していても良い。
【００４２】
また、写真格納部１１５は、地点情報に対応付けられた３以上の写真が格納されていても良い。写真格納部１１５は、地点情報および方角情報に対応付けられた３以上の写真が格納されていても良い。
【００４３】
属性情報格納部１１６は、１または２以上の属性情報が格納される。属性情報は、写真に関連する情報である。１以上の属性情報には、例えば、写真識別子に対応付いている。また、属性情報は、例えば、図面情報識別子に対応付いている。また、１以上の属性情報は、例えば、写真が対応付いている領域識別子、項目情報のうちの１以上の情報を有することは好適である。１以上の属性情報は、例えば、写真が対応付いている図面情報上の地点を示す地点情報を有する。１以上の属性情報は、方向情報を有することは好適である。また、１以上の属性情報は、属性情報を識別する属性情報識別子と対応付いていても良い。また、１以上の属性情報は、付帯情報を含んでも良い。付帯情報とは、写真の撮影時のコンテキストの情報である、と言っても良い。付帯情報は、例えば、時刻、日付、天気などである。付帯情報は、例えば、撮影場所に関する属性情報である、と言っても良い。
【００４４】
受付部１２は、各種の指示や情報を受け付ける。各種の指示や情報とは、例えば、地点情報と写真、領域識別子と写真、出力指示、後述する指示情報、後述する撮影指示、作業進捗情報取得指示、写真一覧出力指示である。ここで、受け付けとは、通常、端末装置２からの受信である。受付部１２は、撮影部が撮影した写真を取得しても良い。また、受け付けとは、ユーザからの受け付け、記録媒体からの読み出し、外部の装置からの受信等でも良い。各種の指示や情報等の入力手段は、タッチパネルやキーボードやマウスやメニュー画面によるもの等、何でも良い。
【００４５】
なお、地点情報と写真とが受け付けられる場合、地点情報と写真とは一緒に受け付けられても良いし、別々に受け付けられても良い。別々に受け付けられる場合、地点情報が受け付けられた後に、写真が受け付けられることは好適である。また、受付部１２が地点情報と写真とを受け付けた場合、当該写真は当該地点情報が示す地点で撮影された写真である。また、受付部１２が領域識別子と写真とを受け付けた場合、当該写真は当該領域識別子が示す領域で撮影された写真である。
【００４６】
また、出力指示とは、図面情報の出力の指示である。出力指示は、通常、図面情報識別子を有する。出力指示の受け付けのために、ユーザにより入力される指示等は、例えば、タッチパネルへのタッチ、マウスでの押下などである。出力指示の受け付けのために、ユーザにより入力される指示等は、地点の指示と方向の入力等の一連の操作でも良い。出力指示の受け付けのために入力される指示の入力方法は何でも良い。
【００４７】
また、作業進捗情報取得指示とは、後述する作業進捗情報を取得する指示である。作業進捗情報取得指示は、例えば、図面情報識別子を有する。また、作業進捗情報取得指示は、例えば、図面情報識別子と１または２以上の領域識別子とを有する。
【００４８】
さらに、写真一覧出力指示とは、１以上の写真を出力する指示である。写真一覧出力指示は、通常、図面情報識別子を有する。写真一覧出力指示は、例えば、図面情報識別子と領域識別子を有する。
【００４９】
指示情報受付部１２１は、指示情報を受け付ける。指示情報とは、図面情報出力部１４１が出力している画像情報上の地点を特定する指示に関する情報である。指示情報は、地点を特定する地点情報を含む情報である。指示情報は、例えば、地点情報と方向情報とを有する。
【００５０】
撮影指示受付部１２２は、撮影指示を受け付ける。撮影指示は、撮影された写真の登録の指示でも良いし、写真を撮影する指示でも良い。撮影指示が撮影された写真の登録の指示である場合、撮影指示は写真、または写真と地点情報、または写真と領域識別子を有する。撮影指示は、例えば、図面情報識別子を含んでも良い。
【００５１】
撮影指示受付部１２２は、指示情報を受け付けた後に、撮影指示を受け付けることは好適である。撮撮影指示受付部１２２は、指示情報の受け付けに続けて、撮影指示を受け付けることは好適である。
【００５２】
撮影指示の入力方法は、例えば、撮影ボタンの押下、撮影のメニュー項目の選択などである。ただし、撮影指示の入力方法は何でも良い。撮影指示の受け付けの後に、撮影指示受付部１２２は、写真撮影のためのシャッター押下指示を受け付けても良い。撮影指示は、撮影モードへの移行の指示でも良いし、撮影を行い、写真を取得する指示でも良い。
【００５３】
処理部１３は、各種の処理を行う。各種の処理とは、例えば、撮影部１３１、領域識別子取得部１３２、項目情報取得部１３３、写真蓄積部１３４、作業進捗情報取得部１３５、写真群取得部１３６、画面構成部１３７が行う処理である。各種の処理とは、例えば、受け付けられた出力指示に含まれる図面情報識別子で識別される図面情報を図面情報格納部１１１から取得する処理である。各種の処理とは、例えば、指示情報が有する地点情報を、カレントの図面情報の図面情報識別子に対応付けて図示しないバッファに一時蓄積する処理である。
【００５４】
撮影部１３１は、撮影指示の受け付けに応じて、撮影し、写真を取得する。撮影部１３１は、カメラ、ＭＰＵ、メモリ等より実現され得る。なお、端末装置２が撮影を行っても良い。かかる場合、撮影部１３１は不要である。また、かかる場合、写真管理装置１は、端末装置２から撮影された写真を受信する。
【００５５】
領域識別子取得部１３２は、地点情報を用いて、地点情報が示す地点を含む領域の領域識別子を領域情報格納部１１２から取得する。領域識別子取得部１３２は、撮影指示または指示情報が有する地点情報を用いて、地点情報が示す地点を含む領域の領域識別子を領域情報格納部１１２から取得する。
【００５６】
領域識別子取得部１３２は、例えば、撮影指示が受け付けられた後、受け付けられた指示情報が有する地点情報が示す地点を含む領域の領域識別子を領域情報格納部１１２から取得する。
【００５７】
領域識別子取得部１３２は、例えば、地点情報と、領域情報格納部１１２の１以上の各領域位置情報とを対比し、当該地点情報が示す地点が、各領域位置情報が示す領域に含まれるか否かを判断し、含まれると判断された領域位置情報と対になる領域識別子を領域情報格納部１１２から取得する。
【００５８】
項目情報取得部１３３は、写真の受け付けに応じて、写真に関連する情報である項目情報を取得する。項目情報取得部１３３は、例えば、撮影部１３１における撮影に応じて、項目情報を取得する。
【００５９】
項目情報取得部１３３は、写真を画像処理し、項目情報を取得することは好適である。写真を画像処理して項目情報を取得する処理は、例えば、画像認識し、画像から項目情報を抽出する処理である。なお、写真は、撮影部１３１が取得した写真または受付部１２が受け付けた写真である。
【００６０】
項目情報取得部１３３は、写真の中の予め決められたコード図柄の領域を取得し、コード図柄の領域に対応するコードを取得し、コードに対応する項目情報を項目情報格納部１１３から取得することは好適である。また、項目情報取得部１３３は、写真から予め決められた条件に合致する領域である写真部分領域を特定し、当該写真部分領域であるコード図柄からコードを取得し、コードに対応する項目情報を項目情報格納部１１３から取得しても良い。なお、バーコード、カラーコード等のコード図柄からコードを取得する処理は公知技術であるので詳細な説明は省略する。
【００６１】
項目情報取得部１３３は、写真を文字認識し、取得した文字列である項目情報を取得しても良い。また、項目情報取得部１３３は、写真から予め決められた条件に合致する領域である写真部分領域を特定し、当該写真部分領域を文字認識し、取得した文字列である項目情報を取得しても良い。
【００６２】
なお、項目情報取得部１３３は、写真から２以上の項目情報を取得しても良い。項目情報取得部１３３は、例えば、写真の中のコード図柄から項目情報を取得し、かつ写真を文字認識し、取得した文字列である項目情報を取得しても良い。つまり、項目情報取得部１３３は、異なる２以上の手段により、写真から２以上の項目情報を取得しても良い。
【００６３】
写真蓄積部１３４は、領域識別子取得部１３２が取得した領域識別子に対応付けて、撮影された写真を写真格納部１１５に蓄積する。写真蓄積部１３４は、例えば、写真を写真格納部１１５に蓄積するとともに、当該写真を識別する写真識別子と領域識別子取得部１３２が取得した領域識別子とを対応付けて、属性情報格納部１１６に蓄積する。なお、写真識別子は、例えば、写真のファイル名、写真のＩＤ等である。
【００６４】
写真蓄積部１３４は、項目情報取得部１３３が取得した項目情報をも写真に対応付けて蓄積することは好適である。写真蓄積部１３４は、例えば、写真を写真格納部１１５に蓄積するとともに、当該写真を識別する写真識別子と項目情報取得部１３３が取得した１または２以上の項目情報とを対応付けて、属性情報格納部１１６に蓄積する。
【００６５】
作業進捗情報取得部１３５は、作業進捗情報を取得する。作業進捗情報取得部１３５は、通常、例えば、作業進捗情報取得指示の受け付けに応じて、作業進捗情報を取得する。作業進捗情報取得部１３５は、例えば、作業進捗情報を領域ごとに取得する。なお、作業進捗情報とは、写真に対応付けられている項目情報である。作業進捗情報は、通常、各領域を識別する領域識別子と対になる１以上の項目情報である。作業進捗情報は、例えば、領域毎の１以上の項目情報である。作業進捗情報は、例えば、作業状況情報である。作業状況情報は、作業の完了または不足に関する情報である。作業状況情報は、例えば、作業が完了している旨の情報、未作業の項目を示す１以上の項目情報、作業が未完了している旨の情報等である。
【００６６】
作業進捗情報取得部１３５は、作業進捗情報取得部１３５が取得した領域ごとの１以上の項目情報と、作業項目情報格納部１１４に格納されている１以上の項目情報とを比較し、作業状況情報を取得しても良い。
【００６７】
写真群取得部１３６は、図面情報に対応する１以上の写真を写真格納部１１５から取得する。なお、ここでの図面情報は、カレントの図面情報である。カレントの図面情報は、例えば、出力されている図面情報、または選択されている図面情報である。写真群取得部１３６は、例えば、カレントの図面情報識別子と対になる１以上の写真を写真格納部１１５から取得する。写真群取得部１３６は、例えば、受け付けられた写真一覧出力指示が有する図面情報識別子に対応する１以上の写真を写真格納部１１５から取得する。
【００６８】
写真群取得部１３６は、一の領域識別子に対応する１以上の写真を写真格納部１１５から取得することは好適である。なお、ここでの一の領域識別子は、カレントの領域の領域識別子である。カレントの領域とは、例えば、選択されている領域である。写真群取得部１３６は、例えば、受け付けられた写真一覧出力指示が有する領域識別子に対応する１以上の写真を写真格納部１１５から取得する。写真群取得部１３６は、例えば、受け付けられた写真一覧出力指示が有する図面情報識別子と領域識別子とに対応する１以上の写真を写真格納部１１５から取得する。
【００６９】
画面構成部１３７は、写真群取得部１３６が取得した１以上の写真を一覧する画面を構成する画面情報を取得する。ここでの画面情報は、写真一覧画面の情報である、と言っても良い。
【００７０】
画面構成部１３７は、一の領域識別子により識別される領域ごとに、写真群取得部１３６が取得した１以上の写真を一覧する画面を構成する画面情報を取得する。
【００７１】
画面構成部１３７は、例えば、格納部１１に格納されている写真一覧画面の画面情報の雛形に、写真群取得部１３６が取得した１以上の写真を付加し、画面情報を構成する。また、画面構成部１３７は、例えば、格納部１１に格納されている写真一覧画面の画面情報の雛形に、写真群取得部１３６が取得した１以上の写真と写真一覧出力指示が有する領域識別子とを付加し、画面情報を構成する。
【００７２】
出力部１４は、各種の情報を出力する。各種の情報とは、例えば、図面情報、作業進捗情報、画面情報である。
【００７３】
ここで、出力とは、通常、端末装置２への送信であるが、ディスプレイへの表示、プロジェクターを用いた投影、プリンタでの印字、音出力、記録媒体への蓄積、他の処理装置や他のプログラムなどへの処理結果の引渡しなどを含む概念であると考えても良い。
【００７４】
図面情報出力部１４１は、図面情報を出力する。図面情報出力部１４１は、例えば、処理部１３が取得した図面情報を、出力指示を送信してきた端末装置２に送信する。
【００７５】
作業進捗情報出力部１４２は、作業進捗情報取得部１３５が取得した作業進捗情報を出力する。作業進捗情報出力部１４２は、作業進捗情報取得部１３５が取得した作業進捗情報を、作業進捗情報取得指示を送信してきた端末装置２に送信する。作業進捗情報は、例えば、領域毎の１以上の項目情報である。作業進捗情報は、例えば、作業状況情報である。
【００７６】
画面出力部１４３は、画面構成部１３７が取得した画面情報を出力する。画面出力部１４３は、例えば、画面構成部１３７が取得した画面情報を、写真一覧出力指示を送信してきた端末装置２に送信する。
【００７７】
端末装置２を構成する端末格納部２１は、各種の情報を格納し得る。各種の情報とは、例えば、ユーザ識別子である。
【００７８】
端末受付部２２は、ユーザから指示や情報等を受け付ける。指示や情報等は、例えば、出力指示、指示情報、撮影指示、作業進捗情報取得指示、写真一覧出力指示、図面情報等である。指示や情報等の入力手段は、タッチパネルやキーボードやマウスやメニュー画面によるもの等、何でも良い。
【００７９】
端末処理部２３は、各種の処理を行う。端末処理部２３は、例えば、端末受付部２２が受け付けた指示や情報等から、送信する指示や情報等を構成する処理である。端末処理部２３は、例えば、端末受信部２５が受信した画面情報を用いて、出力する画面を構成する。端末処理部２３は、例えば、端末受信部２５が受信した情報を用いて、出力する情報を構成する。端末処理部２３は、例えば、撮影指示の受け付けに応じて撮影を行い、写真を取得する。端末処理部２３は、例えば、ユーザにより指示された地点の地点情報を取得し、当該地点情報を用いて、領域識別子を取得してもよい。かかる場合、端末格納部２１には、１または２以上の領域情報が格納されている。
【００８０】
端末送信部２４は、各種の指示や情報等を写真管理装置１に送信する。各種の指示や情報等は、例えば、出力指示、指示情報、撮影指示、作業進捗情報取得指示、図面情報等である。
【００８１】
端末受信部２５は、各種の情報を写真管理装置１から受信する。各種の情報は、例えば、各種の画面情報、図面情報、作業進捗情報である。
【００８２】
端末出力部２６は、各種の情報を出力する。各種の情報とは、例えば、各種の画面、図面情報、作業進捗情報、写真である。各種の画面は、例えば、写真の一覧画面である。
【００８３】
ここで、出力とは、通常、ディスプレイへの表示であるが、外部の装置への送信、プロジェクターを用いた投影、プリンタでの印字、音出力、記録媒体への蓄積、他の処理装置や他のプログラムなどへの処理結果の引渡しなどを含む概念であると考えても良い。
【００８４】
格納部１１、図面情報格納部１１１、領域情報格納部１１２、項目情報格納部１１３、作業項目情報格納部１１４、写真格納部１１５、および端末格納部２１は、不揮発性の記録媒体が好適であるが、揮発性の記録媒体でも実現可能である。
【００８５】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００８６】
受付部１２、指示情報受付部１２１、撮影指示受付部１２２、および端末受信部２５は、通常、無線または有線の通信手段で実現されるが、放送を受信する手段で実現されても良い。
【００８７】
処理部１３、撮影部１３１、領域識別子取得部１３２、項目情報取得部１３３、写真蓄積部１３４、作業進捗情報取得部１３５、写真群取得部１３６、画面構成部１３７、および端末処理部２３は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００８８】
出力部１４、図面情報出力部１４１、作業進捗情報出力部１４２、画面出力部１４３、および端末送信部２４は、通常、無線または有線の通信手段で実現されるが、放送手段で実現されても良い。
【００８９】
端末受付部２２は、端末受付部２２は、タッチパネルやキーボード等の入力手段のデバイスドライバーや、メニュー画面の制御ソフトウェア等で実現され得る。
【００９０】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００９１】
次に、写真管理システムＡの動作について説明する。まず、写真管理装置１の動作例について、図４のフローチャートを用いて説明する。
【００９２】
（ステップＳ４０１）受付部１２は、出力指示を端末装置２から受信したか否かを判断する。出力指示を受信した場合はステップＳ４０２に行き、出力指示を受信しなかった場合はステップＳ４０４に行く。
【００９３】
（ステップＳ４０２）処理部１３は、出力指示に含まれる図面情報識別子で識別される図面情報を図面情報格納部１１１から取得する。
【００９４】
（ステップＳ４０３）図面情報出力部１４１は、ステップＳ４０２で取得された図面情報を、出力指示を送信してきた端末装置２に送信する。ステップＳ４０１に戻る。
【００９５】
（ステップＳ４０４）指示情報受付部１２１は、指示情報を端末装置２から受信したか否かを判断する。指示情報を受信した場合はステップＳ４０５に行き、指示情報を受信しなかった場合はステップＳ４０６に行く。なお、指示情報は、例えば、地点情報を有する。また、指示情報は、例えば、図面情報識別子、地点情報を有する。指示情報は、例えば、領域識別子を有しても良い。
【００９６】
（ステップＳ４０５）処理部１３は、ステップＳ４０４で受信された指示情報が有する地点情報を、カレントの図面情報の図面情報識別子に対応付けて図示いないバッファに一時蓄積する。ステップＳ４０１に戻る。カレントの図面情報の図面情報識別子は、例えば、指示情報が有する。
【００９７】
（ステップＳ４０６）撮影指示受付部１２２は、撮影指示を端末装置２から受信したか否かを判断する。出力指示を受信した場合はステップＳ４０７に行き、出力指示を受信しなかった場合はステップＳ４０８に行く。なお、ここでの撮影指示は、例えば、写真、地点情報を有する。また、ここでの撮影指示は、例えば、写真、領域識別子を有する。
【００９８】
（ステップＳ４０７）写真蓄積部１３４等は、写真登録処理を行う。写真登録処理について、図５のフローチャートを用いて説明する。ステップＳ４０１に戻る。
【００９９】
（ステップＳ４０８）受付部１２は、作業進捗情報取得指示を端末装置２から受信したか否かを判断する。作業進捗情報取得指示を受信した場合はステップＳ４０９に行き、作業進捗情報取得指示を受信しなかった場合はステップＳ４１６に行く。
【０１００】
（ステップＳ４０９）作業進捗情報取得部１３５は、ステップＳ４０８で受信された作業進捗情報取得指示が有する図面情報識別子を取得する。
【０１０１】
（ステップＳ４１０）作業進捗情報取得部１３５は、カウンタｉに１を代入する。
【０１０２】
（ステップＳ４１１）作業進捗情報取得部１３５は、ステップＳ４０８で受信された作業進捗情報取得指示に対応するｉ番目の領域が存在するか否かを判断する。ｉ番目の領域が存在すればステップＳ４１２に行き、ｉ番目の領域が存在しなければステップＳ４１５に行く。なお、作業進捗情報取得指示に対応するｉ番目の領域とは、例えば、作業進捗情報取得指示が有するｉ番目の領域識別子により識別される領域、または作業進捗情報取得指示が有する図面情報識別子で識別される図面情報と対になるｉ番目の領域識別子により識別される領域である。
【０１０３】
（ステップＳ４１２）作業進捗情報取得部１３５は、ｉ番目の領域の領域識別子を取得し、当該領域識別子に対応する１以上の項目情報を、属性情報格納部１１６から取得する。なお、１以上の項目情報は、当該領域識別子と対になる写真に対応付いている１以上の項目情報である。
【０１０４】
（ステップＳ４１３）作業進捗情報取得部１３５は、ｉ番目の領域の領域識別子、およびステップＳ４１２で取得した１以上の項目情報を用いて、ｉ番目の領域の作業進捗情報を構成する。作業進捗情報は、例えば、ｉ番目の領域の領域識別子と１以上の項目情報とから構成されても良い。また、作業進捗情報取得部１３５は、例えば、作業項目情報格納部１１４の行わなければならい作業に関する１以上の項目情報と、ステップＳ４１２で取得した１以上の項目情報とを対比し、作業状況情報を構成しても良い。
【０１０５】
（ステップＳ４１４）作業進捗情報取得部１３５は、カウンタｉを１、インクリメントする。ステップＳ４１１に戻る。
【０１０６】
（ステップＳ４１５）作業進捗情報出力部１４２は、作業進捗情報を出力する。ステップＳ４０１に戻る。なお、ここでの出力は、通常、作業進捗情報取得指示を送信してきた端末装置２への送信である。また、出力される作業進捗情報は、領域の数の分の作業状況情報を有するが、一の領域の作業状況情報でも良い。
【０１０７】
（ステップＳ４１６）受付部１２は、写真一覧出力指示を端末装置２から受信したか否かを判断する。写真一覧出力指示を受信した場合はステップＳ４１７き、写真一覧出力指示を受信しなかった場合はステップＳ４０１に戻る。なお、写真一覧出力指示は、図面情報識別子を有する。また、写真一覧出力指示は、例えば、図面情報識別子および領域識別子を有する。
【０１０８】
（ステップＳ４１７）写真群取得部１３６は、写真一覧出力指示が有する図面情報識別子を取得する。
【０１０９】
（ステップＳ４１８）写真群取得部１３６は、写真一覧出力指示に対応するｉ番目の領域が存在するか否かを判断する。ｉ番目の領域が存在する場合はステップＳ４１９に行き、ｉ番目の領域が存在しない場合はステップＳ４２３に行く。なお、写真一覧出力指示に対応する領域とは、例えば、写真一覧出力指示が有する図面情報識別子と領域識別子とにより識別される領域、または写真一覧出力指示が有する図面情報識別子で識別される図面情報に対応するｉ番目の領域識別子で識別される領域である。
【０１１０】
（ステップＳ４１９）写真群取得部１３６は、カウンタｉに１を代入する。
【０１１１】
（ステップＳ４２０）写真群取得部１３６は、ｉ番目の領域の領域識別子と対になる１以上の写真等を写真格納部１１５等から取得する。なお、写真等とは、写真のみでも良いし、写真と項目情報でも良いし、写真と領域識別子でも良いし、写真と項目情報と領域識別子でも良い。
【０１１２】
（ステップＳ４２１）画面構成部１３７は、ステップＳ４２０で取得した写真等を用いて、画面情報を構成する。かかる画面情報構成処理について図６のフローチャートを用いて説明する。
【０１１３】
（ステップＳ４２２）写真群取得部１３６は、カウンタｉを１、インクリメントする。ステップＳ４１９に戻る。
【０１１４】
（ステップＳ４２３）画面出力部１４３は、ステップＳ４２１で構成された画面情報を、写真一覧出力指示を送信してきた端末装置２に送信する。ステップＳ４０１に戻る。
【０１１５】
なお、図４のフローチャートにおいて、電源オフや処理終了の割り込みにより処理は終了する。
【０１１６】
次に、ステップＳ４０７の写真登録処理の例について、図５のフローチャートを用いて説明する。
【０１１７】
（ステップＳ５０１）写真蓄積部１３４は、撮影指示に対応する写真を取得する。なお、撮影指示に対応する写真とは、通常、撮影指示が有する写真であるが、撮影指示の受け付けにより撮影され取得された写真でも良い。
【０１１８】
（ステップＳ５０２）領域識別子取得部１３２は、撮影指示が有する地点報を取得する。または、領域識別子取得部１３２は、図示しないバッファに蓄積されている地点情報を取得する。
【０１１９】
（ステップＳ５０３）領域識別子取得部１３２は、ステップＳ５０２で取得した地点情報が示す地点が含まれる領域の領域識別子を領域情報格納部１１２から取得する。なお、受け付けられた撮影指示が領域識別子を有する場合、領域識別子取得部１３２は、撮影指示が領域識別子を取得する。
【０１２０】
（ステップＳ５０４）項目情報取得部１３３は、ステップＳ５０１で取得された写真から１以上の項目情報を取得する。
【０１２１】
（ステップＳ５０５）写真蓄積部１３４は、ステップＳ５０２で取得された地点情報、ステップＳ５０３で取得された領域識別子、ステップＳ５０４で取得された１以上の項目情報と対応付けて、ステップＳ５０１で取得した写真を写真格納部１１５に蓄積する。上位処理にリターンする。なお、写真蓄積部１３４は、例えば、ステップＳ５０１で取得した写真を写真格納部１１５に蓄積し、当該写真の写真識別子（例えば、ファイル名）と地点情報と領域識別子と１以上の項目情報とを対応付けて、属性情報格納部１１６に蓄積しても良い。
【０１２２】
次に、ステップＳ４２１の画面情報構成処理の例について図６のフローチャートを用いて説明する。
【０１２３】
（ステップＳ６０１）画面構成部１３７は、カウンタｉに１を代入する。
【０１２４】
（ステップＳ６０２）画面構成部１３７は、ｉ番目の項目情報が存在するか否かを判断する。ｉ番目の項目情報が存在すればステップＳ６０３に行き、ｉ番目の項目情報が存在しなければ上位処理にリターンする。ｉ番目の項目情報とは、例えば、項目情報格納部１１３の中のｉ番目の項目情報でも良いし、ステップＳ４２０で取得された１以上のいずれかの写真と対になるｉ番目の項目情報でも良い。
【０１２５】
（ステップＳ６０３）画面構成部１３７は、ｉ番目の項目情報と対になる写真を、ステップＳ４２０で取得された１以上の写真から取得する。
【０１２６】
（ステップＳ６０４）画面構成部１３７は、ステップＳ６０３で写真が取得できた場合はステップＳ６０５に行き、写真が取得できなかった場合はステップＳ６０６に行く。
【０１２７】
（ステップＳ６０５）画面構成部１３７は、ｉ番目の項目情報とステップＳ６０３で取得された１以上の写真とを、格納部１１の画面情報の雛形に付加する。
【０１２８】
（ステップＳ６０６）画面構成部１３７は、カウンタｉを１、インクリメントする。ステップＳ４１９に戻る。
【０１２９】
次に、端末装置２の動作例について、図７のフローチャートを用いて説明する。
【０１３０】
（ステップＳ７０１）端末受付部２２は、出力指示を受け付けたか否かを判断する。出力指示を受け付けた場合はステップＳ７０２に行き、出力指示を受け付けなかった場合はステップＳ７０７に行く。
【０１３１】
（ステップＳ７０２）端末処理部２３は、ステップＳ７０１における出力指示の受け付けに応じて、送信する出力指示を構成する。端末処理部２３は、例えば、ユーザにより指示された図面の図面情報識別子を取得し、かつ端末格納部２１のユーザ識別子を取得し、当該図面情報識別子とユーザ識別子とを有する出力指示を構成する。
【０１３２】
（ステップＳ７０３）端末送信部２４は、ステップＳ７０２で構成された出力指示を写真管理装置１に送信する。なお、ユーザ識別子を含む指示を写真管理装置１に送信した場合、写真管理装置１では、当該ユーザ識別子と対になる情報を用いて処理が行われることは言うまでもない。
【０１３３】
（ステップＳ７０４）端末受信部２５は、写真管理装置１から図面情報を受信したか否かを判断する。図面情報を受信した場合はステップＳ７０５に行き、図面情報を受信しなかった場合はステップＳ７０４に戻る。
【０１３４】
（ステップＳ７０５）端末処理部２３は、ステップＳ７０４で受信された図面情報を用いて、出力する図面を構成する。
【０１３５】
（ステップＳ７０６）端末出力部２６は、ステップＳ７０５で構成された図面を出力する。ステップＳ７０１に戻る。
【０１３６】
（ステップＳ７０７）端末受付部２２は、指示情報を受け付けたか否かを判断する。指示情報を受け付けた場合はステップＳ７０８に行き、指示情報を受け付けなかった場合はステップＳ７０９に行く。
【０１３７】
（ステップＳ７０８）端末処理部２３は、指示情報が有する地点情報等を図示しないバッファに一時蓄積する。ステップＳ７０１に戻る。なお、地点情報等とは、地点情報のみでも良いし、領域識別子でも良いし、地点情報、領域識別子、方向情報等を含んでも良い。なお、端末処理部２３が領域識別子を一時蓄積する場合、端末処理部２３は、ユーザにより指示された地点の地点情報から領域識別子を取得する。かかる場合、端末処理部２３は、領域識別子取得部１３２と同様の処理を行う。また、端末送信部２４は、指示情報を写真管理装置１に送信しても良い。
【０１３８】
（ステップＳ７０９）端末受付部２２は、撮影指示を受け付けたか否かを判断する。撮影指示を受け付けた場合はステップＳ７１０に行き、撮影指示を受け付けなかった場合はステップＳ７１３に行く。
【０１３９】
（ステップＳ７１０）端末処理部２３は、撮影を行い、写真を取得する。
【０１４０】
（ステップＳ７１１）端末処理部２３は、ステップＳ７１０で取得した写真を含む撮影指示を構成する。端末処理部２３は、ステップＳ７０８でバッファに蓄積された地点情報等をも含む撮影指示を構成することは好適である。
【０１４１】
（ステップＳ７１２）端末送信部２４は、ステップＳ７１１で構成された撮影指示を写真管理装置１に送信する。ステップＳ７０１に戻る。
【０１４２】
（ステップＳ７１３）端末受付部２２は、作業進捗情報取得指示を受け付けたか否かを判断する。作業進捗情報取得指示を受け付けた場合はステップＳ７１４に行き、作業進捗情報取得指示を受け付けなかった場合はステップＳ７１９に行く。
【０１４３】
（ステップＳ７１４）端末処理部２３は、送信する作業進捗情報取得指示を構成する。端末処理部２３は、例えば、出力されている図面の図面情報識別子と、ユーザにより指示されたカレントの領域の領域識別子と、端末格納部２１のユーザ識別子とを取得し、当該図面情報識別子と領域識別子とユーザ識別子とを有する作業進捗情報取得指示を構成する。
【０１４４】
（ステップＳ７１５）端末送信部２４は、ステップＳ７１４で構成された作業進捗情報取得指示を写真管理装置１に送信する。
【０１４５】
（ステップＳ７１６）端末受信部２５は、作業進捗情報を受信したか否かを判断する。作業進捗情報を受信した場合はステップＳ７１７に行き、作業進捗情報を受信しなかった場合はステップＳ７１６に戻る。
【０１４６】
（ステップＳ７１７）端末処理部２３は、ステップＳ７１６で受信された作業進捗情報を用いて、出力する作業進捗情報を構成する。
【０１４７】
（ステップＳ７１８）端末出力部２６は、ステップＳ７１７で構成された作業進捗情報を出力する。ステップＳ７０１に戻る。
【０１４８】
（ステップＳ７１９）端末受付部２２は、写真一覧出力指示を受け付けたか否かを判断する。写真一覧出力指示を受け付けた場合はステップＳ７２０に行き、写真一覧出力指示を受け付けなかった場合はステップＳ７２５に行く。
【０１４９】
（ステップＳ７２０）端末処理部２３は、送信する写真一覧出力指示を構成する。端末処理部２３は、例えば、出力されている図面の図面情報識別子と、ユーザにより指示されたカレントの領域の領域識別子と、端末格納部２１のユーザ識別子とを取得し、当該図面情報識別子と領域識別子とユーザ識別子とを有する写真一覧出力指示を構成する。
【０１５０】
（ステップＳ７２１）端末送信部２４は、ステップＳ７２０で構成された写真一覧出力指示を写真管理装置１に送信する。
【０１５１】
（ステップＳ７２２）端末受信部２５は、写真管理装置１から画面情報を受信したか否かを判断する。画面情報を受信した場合はステップＳ７２３に行き、画面情報を受信しなかった場合はステップＳ７２２に戻る。
【０１５２】
（ステップＳ７２３）端末処理部２３は、ステップＳ７２２で受信された画面情報を用いて、写真一覧画面を構成する。
【０１５３】
（ステップＳ７２４）端末出力部２６は、ステップＳ７２３で構成された写真一覧画面を出力する。ステップＳ７０１に戻る。
【０１５４】
（ステップＳ７２５）端末受付部２２は、他の指示等を受け付けたか否かを判断する。他の指示等を受け付けた場合はステップＳ７２６に行き、他の指示等を受け付けなかった場合はステップＳ７０１に戻る。
【０１５５】
（ステップＳ７２６）端末処理部２３等は、他の指示等に応じた処理を行う。ステップＳ７０１に戻る。
【０１５６】
なお、図７のフローチャートにおいて、電源オフや処理終了の割り込みにより処理は終了する。
【０１５７】
以下、本実施の形態における写真管理システムＡの具体的な動作について説明する。写真管理システムＡの概念図は図１である。ここでは、写真管理システムＡは、例えば、土壌調査を支援するシステムである。
【０１５８】
今、図面情報格納部１１１に、図８に示す図面情報「ＦＩＧ１．ｊｐｅｇ」等の１以上の図面情報が格納されている、とする。なお、「ＦＩＧ１．ｊｐｅｇ」は、図面情報識別子である。「ＦＩＧ１．ｊｐｅｇ」は、ある土地の図面である。
【０１５９】
また、領域情報格納部１１２には、図９に示す領域情報管理表が格納されている、とする。領域情報管理表は、「ＩＤ」「領域識別子」「領域位置情報」を有するレコードを格納する表である。また、ここでは、領域情報管理表は、図面情報識別子に対応付いている。つまり、領域情報格納部１１２には、ここでは、図面情報ごとの領域情報管理表を格納している。また、「ＩＤ」はレコードを識別する情報である。「領域位置情報」は、ここでは領域の左上座標、右下座標の情報を有する。なお、ここでは、座標は、図面情報の中の相対的な位置を示す情報であり、（ｘ，ｙ）の構造を有する。
【０１６０】
また、項目情報格納部１１３には、図１０に示す項目情報管理表が格納されている、とする。項目情報管理表は、「ＩＤ」「コード」「項目情報」を有するレコードを管理する表である。「コード」は、ここでは、カラーコード（コード図柄の一例）から取得される情報である。
【０１６１】
また、作業項目情報格納部１１４には、行わなければならい作業に関する１以上の項目情報として、「作業前」「掘進状況」「残尺」「検尺」「施工後」「調査孔閉塞状況」「深度検尺」「全景」「採取資料」の９つの項目情報が格納されている、とする。
【０１６２】
また、写真格納部１１５には、写真識別子に対応付けられた写真が多数格納されている、とする。なお、写真識別子は、例えば、ここではファイル名である。
【０１６３】
また、属性情報格納部１１６には、図１１に示す構造を有する属性情報管理表が格納されている、とする。属性情報管理表は、属性情報を管理する表である。属性情報管理表は、「ＩＤ」「図面情報識別子」「地点情報」「領域識別子」「方向情報」「写真識別子」「項目情報」を有するレコードを１以上格納し得る。「図面情報識別子」は属性情報に対応する図面情報の識別子である。「地点情報」は、写真が撮影された図面上の地点を示す情報であり、ここでは、平面上（図面上）の座標値である。「領域識別子」は、地点情報が示す地点が属する領域を識別する情報である。「方向情報」は、写真が撮影された図面上の方向を示す情報である。「写真識別子」は、写真の識別子である。「項目情報」は、写真に対応する項目情報である。なお、図１１において、１レコードに２以上の写真識別子が格納されていても良い。
【０１６４】
かかる状況において、ユーザは、端末装置２に対して、「ＦＩＧ１．ｊｐｅｇ」の出力指示を入力した、とする。すると、端末受付部２２は、図面情報の出力指示を受け付ける。そして、端末処理部２３は、「ＦＩＧ１．ｊｐｅｇ」を含む出力指示を構成する。そして、端末送信部２４は、構成された出力指示を写真管理装置１に送信する。
【０１６５】
次に、写真管理装置１の受付部１２は、出力指示を端末装置２から受信する。そして、処理部１３は、出力指示に含まれる図面情報識別子「ＦＩＧ１．ｊｐｅｇ」で識別される図面情報を図面情報格納部１１１から取得する。なお、かかる図面情報は、図８である。
【０１６６】
また、処理部１３は、図面情報識別子「ＦＩＧ１．ｊｐｅｇ」に対応する領域情報を図９に示す領域情報管理表から取得し、各領域情報が有する領域位置情報により示される領域内に、領域情報が有する領域識別子を配置し、送信する図面情報を構成する。
【０１６７】
次に、図面情報出力部１４１は、構成された図面情報を、出力指示を送信してきた端末装置２に送信する。
【０１６８】
次に、端末装置２の端末受信部２５は、写真管理装置１から図面情報を受信する。そして、端末処理部２３は、受信された図面情報を用いて、出力する図面を構成する。次に、端末出力部２６は、構成された図面を出力する。かかる図面は、例えば、図１２である。また、かかる図１２が端末装置に表示されているイメージは、図１３の１４０１である。
【０１６９】
次に、端末装置２のユーザは、図１３の１４０２の地点を指示した、とする。すると、端末受付部２２は、１４０２の地点の座標値、および方向情報「ｄａ」を有する指示情報を受け付ける。なお、この座標値は（Ｘ１，Ｙ１）であり、地点情報である。そして、端末処理部２３は、指示情報が有する地点情報（Ｘ１，Ｙ１）と方向情報「ｄａ」を図示しないバッファに一時蓄積する。なお、この時点で、端末送信部２４は、地点情報（Ｘ１，Ｙ１）と方向情報「ｄａ」とを写真管理装置１に送信しても良い。
【０１７０】
次に、端末装置２のユーザは、撮影指示を端末装置２に入力した、とする。すると、端末受付部２２は、撮影指示を受け付ける。次に、端末処理部２３は、撮影を行い、写真を取得する。
【０１７１】
次に、端末処理部２３は、取得した写真、およびバッファに蓄積された地点情報（Ｘ１，Ｙ１）と方向情報「ｄａ」を含む撮影指示を構成する。そして、端末送信部２４は、構成された撮影指示を写真管理装置１に送信する。なお、既に地点情報（Ｘ１，Ｙ１）と方向情報「ｄａ」とを写真管理装置１に送信している場合、端末送信部２４は、地点情報（Ｘ１，Ｙ１）と方向情報「ｄａ」を有さず、写真を有する撮影指示を写真管理装置１に送信しても良い。
【０１７２】
次に、写真管理装置１の撮影指示受付部１２２は、撮影指示を端末装置２から受信する。そして、写真蓄積部１３４等は、以下のような写真登録処理を行う。
【０１７３】
つまり、まず、写真蓄積部１３４は、撮影指示に含まれる写真を取得する。そして、写真蓄積部１３４は、当該写真を写真格納部１１５に蓄積する。なお、蓄積した写真の写真識別子は「Ｐ２３．ｊｐｅｇ」であった、とする。
【０１７４】
次に、領域識別子取得部１３２は、撮影指示に含まれる地点情報（Ｘ１，Ｙ１）を取得する。次に、領域識別子取得部１３２は、地点情報（Ｘ１，Ｙ１）が示す地点が含まれる領域の領域識別子「Ｃ２−５」を領域情報管理表から取得した、とする。
【０１７５】
次に、項目情報取得部１３３は取得された写真のカラーコードが存在する領域１４０３（図１３参照）を検知し、１４０３の領域のカラーコードからコード「ＭＣＹ」を取得する。次に、項目情報取得部１３３は、コード「ＭＣＹ」と対になる項目情報「全景」を項目情報管理表から取得する。
【０１７６】
次に、写真蓄積部１３４は、図面情報識別子「ＦＩＧ１．ｊｐｅｇ」、写真識別子「Ｐ２３．ｊｐｅｇ」、地点情報（Ｘ１，Ｙ１）、方向情報「ｄａ」、領域識別子「Ｃ２−５」、項目情報「全景」を有するレコードを、図１１の属性情報管理表に追記する。なお、写真の例は、図１３の１４０４である。
【０１７７】
以上のように、土壌調査の作業を行う場合に、ユーザは上記の作業を繰り返す。そして、多数の写真が撮影され、登録された、とする。
【０１７８】
次に、端末装置２に図１３の１４０１の図面が表示されている状況において、ユーザは、作業進捗情報取得指示を入力した、とする。すると、端末受付部２２は、作業進捗情報取得指示を受け付ける。次に、端末処理部２３は、出力されている図面の図面情報識別子「ＦＩＧ１．ｊｐｅｇ」を取得し、当該図面情報識別子を有する作業進捗情報取得指示を構成する。次に、端末送信部２４は、構成された作業進捗情報取得指示を写真管理装置１に送信する。
【０１７９】
次に、写真管理装置１の受付部１２は、図面情報識別子「ＦＩＧ１．ｊｐｅｇ」を有する作業進捗情報取得指示を端末装置２から受信する。
【０１８０】
次に、作業進捗情報取得部１３５は、受信された作業進捗情報取得指示が有する図面情報識別子「ＦＩＧ１．ｊｐｅｇ」を取得する。
【０１８１】
次に、作業進捗情報取得部１３５は、受信された作業進捗情報取得指示が有する図面情報識別子「ＦＩＧ１．ｊｐｅｇ」と対になる項目情報を、領域識別子ごとに、図１１の項目情報管理表から取得する。そして、作業進捗情報取得部１３５は、各領域の領域識別子、および１以上の項目情報を用いて、領域ごとの作業進捗情報を構成する。次に、作業進捗情報取得部１３５は、領域ごとの作業進捗情報を結合し、送信する作業進捗情報を構成する。
【０１８２】
次に、作業進捗情報出力部１４２は、構成された作業進捗情報を写真管理装置１に送信する。
【０１８３】
次に、端末受信部２５は、写真管理装置１から作業進捗情報を受信する。端末処理部２３は、受信された作業進捗情報を用いて、出力する作業進捗情報を構成する。そして、端末出力部２６は、構成された作業進捗情報を出力する。
【０１８４】
かかる作業進捗情報の例は、図１４である。図１４の作業進捗情報は、行った作業に対応する１以上の項目情報を有する。図１４の作業進捗情報は、領域識別子ごとの、行った撮影に対応する項目情報の表の形式である。図１４において、領域識別子は「地点名」の名称となっている。また、項目情報は「撮影項目」の名称である。また、作業進捗情報を構成するレコードは、最新撮影日時等の属性値を有する。また、１５０３は、領域識別子「Ｂ３−５」「Ｃ１−５」で識別される領域において、全く作業が行われていない（撮影が行われていない）ことを示す。
【０１８５】
なお、作業進捗情報の例は、図１５に示す作業状況情報でも良い。図１５の作業状況情報は、行っていない作業に対応する１以上の項目情報を有する。図１５の作業状況情報は、領域識別子ごと、行っていない撮影に対応する項目情報の表の形式である。なお、行うべき撮影に対する項目情報は、図１０の項目情報管理表の９つの項目情報である。
【０１８６】
次に、端末装置２に図１３の１４０１の図面が表示されており、かつ図１３の領域識別子「Ｃ１−９」で識別される領域がユーザにより選択された状況において、ユーザは、写真一覧出力指示を入力した、とする。すると、端末装置２の端末受付部２２は、写真一覧出力指示を受け付ける。次に、端末処理部２３は、出力されている図面の図面情報識別子「ＦＩＧ１．ｊｐｅｇ」、および選択されているカレントの領域の領域識別子「Ｃ１−９」を有する写真一覧出力指示を構成する。次に、端末送信部２４は、構成された写真一覧出力指示を写真管理装置１に送信する。
【０１８７】
次に、写真管理装置１の受付部１２は、写真一覧出力指示を端末装置２から受信する。
【０１８８】
次に、写真群取得部１３６は、写真一覧出力指示が有する図面情報識別子「ＦＩＧ１．ｊｐｅｇ」と、領域識別子「Ｃ１−９」とを取得する。
【０１８９】
次に、写真群取得部１３６は、写真一覧出力指示が有する図面情報識別子「ＦＩＧ１．ｊｐｅｇ」と領域識別子「Ｃ１−９」とに対応する１以上の写真の写真式識別子を図１１の属性情報管理表から取得する。また、写真群取得部１３６は、各写真式識別子に対応付けて、項目情報を図１１の属性情報管理表から取得する。
【０１９０】
次に、画面構成部１３７は、取得した写真と項目情報と領域識別子「Ｃ１−９」とを用いて、画面情報を構成する。なお、ここでの画面情報は、項目情報ごとに、写真を一覧できる画面の情報である、とする。また、写真に対応付けて、撮影された日時の情報が存在する、とする。なお、この日時の情報は、図１１の属性情報管理表に存在している、とする。
【０１９１】
次に、画面出力部１４３は、構成された画面情報を、写真一覧出力指示を送信してきた端末装置２に送信する。
【０１９２】
次に、端末装置２の端末受信部２５は、写真管理装置１から画面情報を受信する。そして、端末処理部２３は、受信された画面情報を用いて、写真一覧画面を構成する。次に、端末出力部２６は、構成された写真一覧画面を出力する。かかる写真一覧画面の例は、図１６の１７０２である。１７０２の画面は、領域識別子「Ｃ１−９」で識別される領域で撮影された写真が、項目情報ごとに整理された態様で、一覧できる画面である。
【０１９３】
また、ユーザは、図１０に示す項目情報管理表をカスタマイズできる。つまり、ユーザは、端末装置２から写真管理装置１にアクセスし、項目情報管理表を呼び出し、図１７に示すような項目情報管理表の画面を端末装置２に出力できる。そして、項目情報管理表の各レコードの修正、レコードの追加、レコードの削除等が可能である。
【０１９４】
以上、本実施の形態によれば、図面の中の領域に対応付けて、当該領域内で撮影した写真を、容易に整理できる。
【０１９５】
また、本実施の形態によれば、図面の中の領域および項目情報に対応付けて、当該領域内で撮影した写真を、容易に整理できる。
【０１９６】
また、本実施の形態によれば、図面の中の領域および自動取得された項目情報に対応付けて、当該領域内で撮影した写真を、容易に整理できる。
【０１９７】
また、本実施の形態によれば、図面の中の領域および写真内のコード図柄に対応するコードから取得された項目情報に対応付けて、当該領域内で撮影した写真を、容易に整理できる。
【０１９８】
また、本実施の形態によれば、領域ごとに行われた作業の状況を把握できる。
【０１９９】
さらに、本実施の形態によれば、図面の中の領域ごとに、対応する写真を一覧できる。
【０２００】
なお、本実施の形態において、写真管理装置１はスタンドアロンで動作する装置でも良い。かかる場合、受付部１２は、ユーザからの指示等の入力を受け付ける。また、出力部１４は、通常、ディスプレイへ情報等を表示する。
【０２０１】
また、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における写真管理装置１を実現するソフトウェアは、以下のようなプログラムである。つまり、このプログラムは、例えば、図面の情報である図面情報が格納される図面情報格納部と、前記図面の１以上の領域に関する情報であり、領域を識別する領域識別子と当該領域を特定する領域位置情報とを有する１以上の領域情報が格納される領域情報格納部と、１以上の写真が格納される写真格納部とにアクセス可能なコンピュータを、前記図面情報を出力する図面情報出力部と、図面情報上の地点を特定する地点情報、および撮影された写真を受け付ける受付部と、前記地点情報を用いて、当該地点情報が示す地点を含む領域の領域識別子を前記領域情報格納部から取得する領域識別子取得部と、前記領域識別子取得部が取得した領域識別子に対応付けて、前記写真を前記写真格納部に蓄積する写真蓄積部として機能させるためのプログラムである。
【０２０２】
また、図１８は、本明細書で述べたプログラムを実行して、上述した種々の実施の形態の写真管理装置等を実現するコンピュータの外観を示す。上述の実施の形態は、コンピュータハードウェア及びその上で実行されるコンピュータプログラムで実現され得る。図１８は、このコンピュータシステム３００の概観図であり、図１９は、システム３００のブロック図である。
【０２０３】
図１８において、コンピュータシステム３００は、ＣＤ−ＲＯＭドライブを含むコンピュータ３０１と、キーボード３０２と、マウス３０３と、モニタ３０４とを含む。
【０２０４】
図１９において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０２０５】
コンピュータシステム３００に、上述した実施の形態の写真管理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２０６】
プログラムは、コンピュータ３０１に、上述した実施の形態の写真管理装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２０７】
また、上記プログラムを実行するコンピュータは、単数であってもよく、複数であってもよい。すなわち、集中処理を行ってもよく、あるいは分散処理を行ってもよい。
【０２０８】
また、上記各実施の形態において、一の装置に存在する２以上の通信手段は、物理的に一の媒体で実現されても良いことは言うまでもない。
【０２０９】
また、上記各実施の形態において、各処理は、単一の装置によって集中処理されることによって実現されてもよく、あるいは、複数の装置によって分散処理されることによって実現されてもよい。
【０２１０】
本発明は、以上の実施の形態に限定されることなく、種々の変更が可能であり、それらも本発明の範囲内に包含されるものであることは言うまでもない。
【産業上の利用可能性】
【０２１１】
以上のように、本発明にかかる写真管理装置は、図面の中の領域に対応付けて、当該領域内で撮影した写真を、容易に整理できるという効果を有し、土壌調査支援システム等として有用である。
【符号の説明】
【０２１２】
１  写真管理装置
２  端末装置
１１  格納部
１２  受付部
１３  処理部
１４  出力部
２１  端末格納部
２２  端末受付部
２３  端末処理部
２４  端末送信部
２５  端末受信部
２６  端末出力部
１１１  図面情報格納部
１１２  領域情報格納部
１１３  項目情報格納部
１１４  作業項目情報格納部
１１５  写真格納部
１１６  属性情報格納部
１２１  指示情報受付部
１２２  撮影指示受付部
１２２  撮撮影指示受付部
１３１  撮影部
１３２  領域識別子取得部
１３３  項目情報取得部
１３４  写真蓄積部
１３５  作業進捗情報取得部
１３６  写真群取得部
１３７  画面構成部
１４１  図面情報出力部
１４２  作業進捗情報出力部
１４３  画面出力部
【図１】
2019159523.tif 000003
【図２】
2019159523.tif 000004
【図３】
2019159523.tif 000005
【図４】
2019159523.tif 000006
【図５】
2019159523.tif 000007
【図６】
2019159523.tif 000008
【図７】
2019159523.tif 000009
【図８】
2019159523.tif 000010
【図９】
2019159523.tif 000011
【図１０】
2019159523.tif 000012
【図１１】
2019159523.tif 000013
【図１２】
2019159523.tif 000014
【図１３】
2019159523.tif 000015
【図１４】
2019159523.tif 000016
【図１５】
2019159523.tif 000017
【図１６】
2019159523.tif 000018
【図１７】
2019159523.tif 000019
【図１８】
2019159523.tif 000020
【図１９】
2019159523.tif 000021